【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
周辺側面（２４）とその間に延びる中心軸線（Ｃ）とを有する２つの対向端面（２２）と、ちょうど４つの刃部（２６）と、を含む割り出し可能切削インサート（２０）であって、
前記４つの刃部（２６）のそれぞれが、すくい面（３０）と逃げ面（３２）との交差によって形成される主切刃（２８）を有し、
前記周辺側面（２４）が２対の対向側面（３４、３６）を有し、第１の対の対向側面（３４）が４つの前記逃げ面（３２）を含み、第２の対の対向側面（３６）が４つの前記すくい面（３０）を含み、
端面視において、
４つの前記主切刃（２８）の４つの切削点（Ｎｃ）が、前記第１の対の対向側面（３４）と前記第２の対の対向側面（３６）との間の移行部を画定し、
前記４つの刃部（２６）のそれぞれが、前記中心軸線（Ｃ）及びその各切削点（Ｎｃ）を含む径方向面（ＰＲ）を有し、
各径方向面（ＰＲ）が前記第２の対の対向側面（３６）に交差し、
前記第２の対の対向側面（３６）の間の最小第１長さ寸法（Ｌ１）が前記４つの切削点（Ｎｃ）のうちの２つの間の最小第２長さ寸法（Ｌ２）よりも小さい、
割り出し可能切削インサート（２０）。
【請求項２】
前記最小第１長さ寸法（Ｌ１）が前記最小第２長さ寸法（Ｌ２）の１０分の６未満である、請求項１に記載の割り出し可能切削インサート（２０）。
【請求項３】
各径方向面（ＰＲ）が別の径方向面（ＰＲ）と同一平面上にある、請求項１又は２に記載の割り出し可能切削インサート（２０）。
【請求項４】
前記最小第１長さ寸法（Ｌ１）が、４つの前記径方向面（ＰＲ）のいずれにも交差しない想像上の第１のセグメント（Ｓ１）に沿って測定される、請求項１〜３のいずれか一項に記載の割り出し可能切削インサート（２０）。
【請求項５】
各径方向面（ＰＲ）が、その各切削点（Ｎｃ）に直に隣接する前記逃げ面（３２）に一致する又は接する真直の想像上の逃げ線（ＬＲ）とともに鋭い逃げ角（α１）を形成し、
前記鋭い逃げ角（α１）が７５度以上の値を有する、請求項１〜４のいずれか一項に記載の割り出し可能切削インサート（２０）。
【請求項６】
前記４つの径方向面（ＰＲ）が４つの想像上のインサート領域（Ｒ１、Ｒ２、Ｒ３、Ｒ４）を画定し、前記４つの逃げ面（３２）は、隣接していない第１及び第３の想像上のインサート領域（Ｒ１、Ｒ３）内に全体が位置する、請求項１〜５のいずれか一項に記載の割り出し可能切削インサート（２０）。
【請求項７】
前記第２の対の対向側面（３６）が４つの離間した当接領域（３８）を有し、
各当接領域（３８）が、前記第１又は第３の想像上のインサート領域（Ｒ１、Ｒ３）内に全体が位置する、請求項６に記載の割り出し可能切削インサート（２０）。
【請求項８】
前記第１の想像上のインサート領域（Ｒ１）を画定する前記２つの径方向面（ＰＲ）が鋭い第１領域の角度（β１）を形成し、前記第３の想像上のインサート領域（Ｒ３）を画定する前記２つの径方向面（ＰＲ）が鋭い第３領域の角度（β３）を形成する、請求項６又は７に記載の割り出し可能切削インサート（２０）。
【請求項９】
前記４つの切削点（Ｎｃ）が前記周辺側面（２４）に外接する第１の想像上の円（Ｃ１）を画定する、請求項１〜８のいずれか一項に記載の割り出し可能切削インサート（２０）。
【請求項１０】
端面視において、
各逃げ面（３２）の第１の逃げ点（ＮＰ１）が、前記同逃げ面（３２）の第２の逃げ点（ＮＰ２）に比べ前記各逃げ面（３２）の各切削点（Ｎｃ）からより遠くに位置し、
前記第１の逃げ点（ＮＰ１）が、前記第２の逃げ点（ＮＰ２）に比べ前記第１の想像上の円（Ｃ１）のより近くに位置する、請求項９に記載の割り出し可能切削インサート（２０）。
【請求項１１】
前記最小第１長さ寸法（Ｌ１）が、想像上の第２のセグメント（Ｓ２）に平行な想像上の第１のセグメント（Ｓ１）に沿って測定され、前記想像上の第２のセグメント（Ｓ２）に沿って前記最小第２長さ寸法（Ｌ２）が測定される、請求項１〜１０のいずれか一項に記載の割り出し可能切削インサート（２０）。
【請求項１２】
前記最小第１長さ寸法（Ｌ１）が、前記中心軸線（Ｃ）を含む垂直面（ＰＶ）に平行でありかつ前記垂直面（ＰＶ）からずれた想像上の第１のセグメント（Ｓ１）に沿って測定される、請求項１〜１１のいずれか一項に記載の割り出し可能切削インサート（２０）。
【請求項１３】
前記切削インサート（２０）が前記垂直面（ＰＶ）の周りにおいて鏡面対称を呈する、請求項１２に記載の割り出し可能切削インサート（２０）。
【請求項１４】
各刃部（２６）が２つの副切刃（４０）を有し、
各副切刃（４０）がその対応する主切刃（２８）から遠ざかり、前記中心軸線（Ｃ）に垂直な中間面（Ｍ）に向かう方向に延びる、請求項１〜１３のいずれか一項に記載の割り出し可能切削インサート（２０）。
【請求項１５】
インサートホルダ（４８）と、前記インサートホルダ（４８）内に保持される請求項１〜１４のいずれか一項に記載の切削インサート（２０）と、を含む切削工具（４６）であって、
前記インサートホルダ（４８）が、長手方向の軸線（Ｌ）に沿って延びる保持部（５２）を有し、前記保持部（５２）が、前記長手方向の軸線（Ｌ）を横断する着座面（５４）を有し、
前記切削インサート（２０）が、別個の締結具（５０）により４つの割り出し位置のいずれか１つにおいて前記インサートホルダ（４８）に着脱可能に固定可能であり、
ちょうど１つの刃部（２６）が動作し、
１つの端面（２２）が前記着座面（５４）とクランプ接触している、
切削工具（４６）。
【請求項１６】
前記保持部（５２）が、前記着座面（５４）に隣接する３つの反応面（６０、６２、６４）を有し、
前記第２の対の対向側面（３６）がちょうど４つの離間した当接領域（３８）を有し、
各割り出し位置において、前記４つの当接領域（３８）のうちの３つが前記３つの反応面（６０、６２、６４）とクランプ接触している、請求項１５に記載の切削工具（４６）。
【請求項１７】
４つの前記径方向面（ＰＲ）が４つの想像上のインサート領域（Ｒ１、Ｒ２、Ｒ３、Ｒ４）を画定し、４つの前記逃げ面（３２）は、隣接していない第１及び第３の想像上のインサート領域（Ｒ１、Ｒ３）内に全体が位置し、
各当接領域（３８）は、前記第１又は第３の想像上のインサート領域（Ｒ１、Ｒ３）内に全体が位置する、請求項１６に記載の切削工具（４６）。
【請求項１８】
２つの離間した隆起（５８ａ、５８ｂ）が前記着座面（５４）から突出し、
前記３つの反応面のうちの２つ（６０、６２）が第１の隆起（５８ａ）上に配置され、前記第３の反応面（６４）が第２の隆起（５８ｂ）上に配置されている、請求項１６又は１７に記載の切削工具（４６）。
【請求項１９】
前記切削工具（４６）の端面視において、第２の直径（Ｄ２）を有する第２の想像上の円（Ｃ２）が、前記切削インサート（２０）及び前記保持部（５２）全体を含み、
前記動作する刃部（２６）が、前記長手方向の軸線（Ｌ）に垂直な挿入深さ（ＤＩ）を有し、
前記挿入深さ（ＤＩ）が前記第２の直径（Ｄ２）の１０分の１以上である、請求項１５〜１８のいずれか一項に記載の切削工具（４６）。
【請求項２０】
周辺側面（２４）とその間に延びる中心軸線（Ｃ）とを有する２つの対向端面（２２）と、ちょうど４つの刃部（２６）と、を含む割り出し可能切削インサート（２０）であって、
前記４つの刃部（２６）のそれぞれが、すくい面（３０）と逃げ面（３２）との交差によって形成される主切刃（２８）を有し、
前記周辺側面（２４）が２対の対向側面（３４、３６）を有し、第１の対の対向側面（３４）が４つの前記逃げ面（３２）を含み、第２の対の対向側面（３６）が４つ前記のすくい面（３０）を含み、
端面視において、
４つの前記主切刃（２８）の４つの切削点（Ｎｃ）が、前記第１の対の対向側面（３４）と前記第２の対の対向側面（３６）との間の移行部を画定し、
前記切削インサートが、前記中心軸線（Ｃ）を含み、かつ前記第２の対の対向側面（３６）を通る垂直面（ＰＶ）の周りにおいて鏡面対称を呈し、
前記切削インサートが、前記中心軸線（Ｃ）を含み、かつ前記第１の対の対向側面（３４）を通る、前記垂直面（ＰＶ）に垂直な水平面（ＰＨ）を有し、
前記第２の対の対向側面（３６）の間の最小第１長さ寸法（Ｌ１）が、前記垂直面（ＰＶ）に沿う、前記第２の対の対向側面（３６）の間の第３の長さ寸法（Ｌ３）よりも短く、前記第３の長さ寸法（Ｌ３）が、前記４つの切削点（Ｎｃ）のうちの２つの間の最小第２長さ寸法（Ｌ２）よりも短く、前記最小第２長さ寸法（Ｌ２）が、前記水平面（ＰＨ）に沿う、前記第１の対の対向側面（３４）の間の第４の長さ寸法（Ｌ４）よりも短い、
割り出し可能切削インサート（２０）。